(57)【要約】【課題】  簡単な構成でレンズの保持性を高めることができ、眼鏡に新たな装飾を付与することのできるリムを提供する。【解決手段】  レンズ５の側面に張り出し形成された嵌合部５ａと嵌合してレンズ５を保持する嵌合溝３が形成された眼鏡のリム１において、嵌合溝３の底部に、嵌合部５ａの頂部５ｂに沿って凹溝４を形成した。凹溝４に緩衝材を充填したり、塗料を充填又は塗布してもよい。【選択図】  図２
2006221130.tif 000002
【特許請求の範囲】
【請求項１】
レンズの側面に張り出し形成された嵌合部と嵌合して前記レンズを保持する嵌合溝が形成された眼鏡のリムにおいて、
前記嵌合溝の底部に、前記嵌合部の頂部に沿って凹溝を形成したこと、
を特徴とする眼鏡のリム。
【請求項２】
前記凹溝に緩衝材を充填したことを特徴とする請求項１に記載の眼鏡のリム。
【請求項３】
前記リムが金属材料から形成されていることを特徴とする請求項１又は２に記載の眼鏡のリム。
【請求項４】
前記リムを透光性又は半透光性の樹脂材料から形成し、前記凹溝の内部に着色材を充填したことを特徴とする請求項１に記載の眼鏡のリム。
【請求項５】
前記リムを透光性又は半透光性の樹脂材料から形成し、前記凹溝の内壁面の少なくとも一部に着色材を塗布したことを特徴とする請求項１に記載の眼鏡のリム。
【請求項６】
前記凹溝の幅が、前記リムの幅の１／５以上１／２以下であることを特徴とする請求項１〜５のいずれかに記載の眼鏡のリム。
【発明の詳細な説明】
【技術分野】
【０００１】
本発明は、レンズの保持性能を高めるとともに眼鏡の装飾性も高めることのできる眼鏡のリムに関する。
【背景技術】
【０００２】
レンズを保持するリムは環状又は半環状に形成されていて、その内周にはレンズを保持するための断面Ｖ字状の嵌合溝が形成されている。そして、この嵌合溝に、レンズ側面に張り出し形成された嵌合部を嵌め込むことで、レンズがリムに保持されるようになっている。
ところで、レンズをリムに嵌め込んだ後に、気温の変化によりレンズが伸縮し、レンズに大きな力が作用してレンズが歪んだり、レンズとリムとの間に間隙が生じ、レンズががたついたり、レンズがリムから外れやすくなるという問題がある。
【０００３】
このような問題を解決するために、例えば、特許文献１に記載の眼鏡のリムでは、リムの材質として弾性を有するものを用い、リムの溝の形状を従来のリムに対してヤゲン深度を深くすることで、レンズを装着する際にリムの溝を押し広げるようにしてレンズをリムに嵌め込むようにし、温度変化によるレンズの膨張又は収縮をリムが吸収できるようにしている。また、特許文献２に記載の眼鏡では、レンズをその内周で保持するリムの周囲に巻き付けて、当該リムと該レンズとの間にシート状クッション材を挟み込んで、リムに嵌め込まれるレンズの保持構造を改善している。
【０００４】
また、近年において、眼鏡はファッションの一部として位置づけられ、種々の装飾を施した眼鏡が市販されるに至っている。消費者も、他人とは異なる眼鏡を身につけることで、個性を表現する傾向にある。このような社会情勢の中、眼鏡には多種多様のデザイン性が求められている。
上記した特許文献２に記載の眼鏡では、リムとレンズとの間に介在させたシート状クッションによりリムに質感と暖かさを与えるようにしている。また、特許文献３に記載のメガネフレームのリム形状では、リムの断面形状を略台形状にし、その内周にレンズが嵌る凹溝を形成しつつリムの前面を内側に傾斜させることで、リム線の外観を太くして新たなファッション性を付加するようにしている。
【特許文献１】特開平０５−１９２１１号公報
【特許文献２】特開２００３−３２９９８１号公報
【特許文献３】実用新案登録第３０４３３７５号公報
【発明の開示】
【発明が解決しようとする課題】
【０００５】
これらの技術は、眼鏡の装飾性を高めたり、レンズ保持性を向上させるという点で注目すべきものである。
しかし、レンズの保持を確実にするに当たり、特許文献１や特許文献２に記載された技術は複雑で、コストも高くなるという問題がある。また、装飾の多様性の要求から、特許文献２や特許文献３に記載された装飾とは異なる装飾も求められている。
【０００６】
本発明は、上記の問題点に鑑みてなされたもので、簡単な構成でレンズ保持性を高めることができるリムの提供を第一の目的とする。また、この第一の目的を達成しつつ、眼鏡に新たな装飾性を付加することのできるリムの提供を第二の目的とする。
【課題を解決するための手段】
【０００７】
上記の第一の目的を達成するために、本発明の眼鏡のリムは、請求項１に記載するように、レンズの側面に張り出し形成された嵌合部と嵌合して前記レンズを保持する嵌合溝が形成された眼鏡のリムにおいて、前記嵌合溝の底部に、前記嵌合部の頂部に沿って凹溝を形成した構成としてある。
この構成によれば、レンズの側面に張り出し形成された嵌合部の頂部が凹溝に係合することができるようになる。これにより、嵌合溝と凹溝の双方でレンズを保持することになり、レンズが温度変化等によって多少伸縮しても、レンズにがたが生じたり、レンズが外れたりするという不具合が発生しにくくなる。
また、凹溝を形成することでリムの剛性が高まって変形しにくくなり、リムの変形に起因するレンズの脱落を効果的に防止することができる。
なお、この場合、請求項２に記載するように、前記凹溝の内部にゴム等の緩衝材を充填してもよい。
また、本発明の眼鏡のリムは、樹脂製であってもよいし、請求項３に記載するように、チタン等の金属製であってもよい。
【０００８】
本発明の第二の目的を達成するために、請求項４に記載の発明では、前記リムを透光性又は半透光性の樹脂材料から形成し、前記凹溝の内部に着色材を充填するようにしている。また、請求項５に記載の発明では、前記リムを透光性又は半透光性の樹脂材料から形成し、前記凹溝の内壁面の少なくとも一部に着色材を塗布した構成としてある。
このようにすることで、凹溝の内部に塗布又は充填した着色材がリムの表面上に模様として浮かび上がり、眼鏡に新たな装飾性を付与することができる。
なお、本発明の眼鏡のリムにおいて、前記凹溝の幅は、レンズの嵌合部の頂部と係合できる寸法のものであればよいが、請求項６に記載するように、前記リムの幅の１／５以上１／２以下の範囲内であるのが好ましく、金属リムでは、１／３程度とするのが好ましい。
【発明の効果】
【０００９】
本発明によれば、レンズの側面に張り出し形成した嵌合部の頂部に沿って、前記頂部が係合可能な凹溝をリムの嵌合溝の底部に形成するだけで、レンズの保持性を高めることができ、コスト的に有利である。また、レンズのがたついたときに、レンズとリムとが擦れ合うことによる所謂「鳴き」も効果的に抑制することができる。
また、リムの剛性を高めてリムを撓みにくくすることができ、リムの変形によるレンズの脱落を防止することができる。
さらに、リムを透光性又は半透光性の樹脂材料から形成し、前記凹溝に塗料等の着色材を充填又は塗布することで、リムの表面に線状の模様を浮かび上がらせることができ、新規なデザインの眼鏡を提供することが可能になる。
【発明を実施するための最良の形態】
【００１０】
以下、本発明の好適な実施形態を、図面を参照しながら詳細に説明する。
図１及び図２は、本発明のリムの第一の実施形態にかかり、図１はリムを正面から見た図、図２は、図１のＩ−Ｉ方向拡大断面図である。
半環状のハーフリムであるリム１は、チタン等の金属から形成してもよいし、透光性又は半透光性の樹脂材料から形成しもよい。リム１の内周面には、レンズ５の側面に形成された凸状の嵌合面５ａと嵌合する逆Ｖ字状の嵌合溝３が形成されている。そして、この嵌合溝３の底部に凹溝４が形成されている。
【００１１】
この凹溝４は、レンズ５の嵌合面５ａの頂部５ｂに沿って、嵌合溝３のほぼ全長にわたって連続的に形成されている。凹溝４と頂部５ｂとは係合することができるものであるのが好ましい。そのため、凹溝４の幅ｈは、リム１の幅Ｈに対して１／５以上１／２以下の範囲内であるのが好ましく、金属リムの場合は、１／３程度とするのが好ましい。
そして、頂部５ｂが凹溝４に係合するようにレンズ５を嵌合溝３に嵌め込む。このようにすることで、嵌合溝３と凹溝４の双方でレンズ５を保持することが可能になり、温度変化によりレンズ５が多少伸縮しても、リム１におけるレンズ４のがたつきを最小に抑制することができ、レンズが外れるという不具合が発生しにくくなる。また、がたつきの発生時に、レンズ５とリム１との擦れ合いによる所謂「鳴き」を効果的に抑制することができる。
また、凹溝４を形成することでリム１の剛性が高まり、リム１が変形しにくくなってレンズ５の脱落を防止することができる。
【００１２】
図３は、本発明の第二の実施形態にかかり、凹溝４の拡大断面図である。
この実施形態では、透光性又は半透光性の樹脂材料から形成された第一の実施形態のリムと同様のリム１の凹溝４の内部に、緩衝材６が充填されている。緩衝材６としては、天然ゴムや合成ゴム等のゴムや、ウレタン等の樹脂材料を用いることができる。
なお、緩衝材６は、リム１と同一の色又は異なる色に着色されたものであってもよいし無色透明のものであってもよい。緩衝材６としてリム１と異なる色に着色されたものを用いることで、リム１の表面に緩衝材６を線状の模様として浮かびあがらせることができる。
【００１３】
図４は、本発明の第三の実施形態にかかり、凹溝４の拡大断面図である。
この実施形態では、透光性又は半透光性の樹脂材料から形成された第一の実施形態のリムと同様のリム１の凹溝４の内壁面に塗料７を塗布している。なお、図４の例では、凹溝４の内壁面の底面及び両側面の双方に塗料７を塗布しているが、底面又は側面のいずれか一つに塗布するものとしてもよい。
図５は、図４のリムの拡大外観図（片面のみを図示）で、（ａ）はリムの正面図、（ｂ）はリムの平面図である。なお、図５に示すように、この実施形態のリム１は、環状のフルリムである。また、リム１の上半分は透明又は半透明の樹脂材料で形成されているが、リム１の下半分は着色等された不透明の樹脂材料で形成されているものとする。
リム１の上半分が透明又は半透明に形成されているので、凹溝４に塗布した塗料７がリム１の上部表面に浮かび上がり、模様１ａを形成する。この模様１ａは、リム１の正面部分，背面部分（図示せず）及び上面部分に現れる。
これにより、今までに無かった新規な装飾を眼鏡に付与することができる。
【００１４】
本発明の好適な実施形態について説明したが、本発明は上記の実施形態に限定されるものではない。
例えば、凹溝４の内部には、所定の間隔で補強用のリブを形成してもよい。また、塗料７は連続的ではなく、凹溝４の内部で断続的に塗布するものとしてもよい。さらに、塗料７は、凹溝４の内部に塗布するのではなく、凹溝４の内部に充填するものとしてもよい。
また、凹溝４の断面形状は、図示したような四角形状に限らず、円弧状、三角形状、不定形状等種々のものとすることができる。
【産業上の利用可能性】
【００１５】
本発明は、リムを有するあらゆる形態の眼鏡に適用が可能であり、また、樹脂製の眼鏡に限らず、金属性の眼鏡やその他の材質の眼鏡にも適用が可能である。
【図面の簡単な説明】
【００１６】
【図１】本発明のリムの第一の実施形態にかかり、リムを正面から見た図である。
【図２】本発明のリムの一実施形態にかかり、図１のＩ−Ｉ方向拡大断面図である。
【図３】本発明の第二の実施形態にかかり、凹溝４の拡大断面図である。
【図４】本発明の第三の実施形態にかかり、凹溝４の拡大断面図である。
【図５】図４のリムの拡大外観図で、（ａ）はリムの正面図、（ｂ）はリムの平面図である。
【符号の説明】
【００１７】
１        リム
１ａ      模様
３        嵌合溝
４        凹溝
５        レンズ
５ａ      嵌合面（嵌合部）
５ｂ      頂部
６        緩衝材
７        塗料（着色材）
【図１】
2006221130.tif 000003
【図２】
2006221130.tif 000004
【図３】
2006221130.tif 000005
【図４】
2006221130.tif 000006
【図５】
2006221130.tif 000007